(57)【要約】      （修正有）【課題】鍼と灸の両方に使用でき、鍼自体を熱源で温めることができ、鍼なしの温灸治療にも使用できる鍼灸治療具を提供する。【解決手段】熱源材３は、筒体１の内部で底部５に保持される。鍼は、底部５に形成された鍼孔８へ通される。熱源材３は、艾９、線香、金属粒群、石粒群、または加熱されうる固体粒群であり、鍼が貫通して、直接に接して温められる。筒体１の上面開口を覆う金網蓋が設けられ、施術中に患者の体が動いても、熱源材３が筒体１からこぼれるのを防止できる。底部５は、筒体１の下端縁部７よりも上に設けられ、熱源材３に温められた底部５が直接に患者の皮膚に触れることを防止できる。鍼孔８は、複数が形成されるので、鍼孔８へ鍼の狙いを付けるのが容易になる。【選択図】図１
0003169142.tif 000002
【実用新案登録請求の範囲】
【請求項１】
筒体と、この筒体の内部に熱源材を保持するための底部と、この底部に形成された鍼孔と、を有し、前記熱源材は、艾、線香、金属粒群、石粒群、または加熱されうる固体粒群であることを特徴とする鍼灸治療具。
【請求項２】
前記筒体には、上面開口を覆う金網蓋が設けられ、前記底部は、前記筒体の下端縁部よりも上に設けられ、前記鍼孔は、複数が形成されたことを特徴とする請求項１に記載の鍼灸治療具。
【考案の詳細な説明】
【技術分野】
【０００１】
この考案は、鍼灸治療具に関する。
【背景技術】
【０００２】
鍼灸治療には、施術中の鍼を艾で温める療法がある。また、治療具の上に艾を載せて、艾が、肌に直に接しないように温灸する療法がある。
さらに、特許文献１の治療具は 、鍼灸の両方に使用でき、筒状の本体が、熱源としての複数の線香を保持し温灸を行なう。そして、この筒上の本体の周壁外側に鍼位置決め環が突設され、よって、本体の近くで鍼による施術が行なわれる。
また、特許文献２では、鍼の上部に金網でできた器状の受け部が設けられ、この受け部に艾が受けられて、鍼を温める療法が提示される。
【先行技術文献】
【特許文献】
【０００３】
【特許文献１】実開平07-015043
【特許文献２】特開平11-155926
【考案の概要】
【考案が解決しようとする課題】
【０００４】
しかしながら、特許文献１の治療具は 、鍼と灸の両方に使用できるものの、鍼自体を熱源である線香によって温めることはできない。特許文献２の治療具では、鍼なしの温灸治療はできない。
この考案は、以上の問題点を解決するために、鍼と灸の両方に使用でき、鍼自体を熱源で温めることができ、鍼なしの温灸治療にも使用できる鍼灸治療具を提供することを目的とする。
【課題を解決するための手段】
【０００５】
以上の課題を解決するために、第一考案は、筒体と、この筒体の内部に熱源材を保持するための底部と、この底部に形成された鍼孔と、を有し、前記熱源材は、艾、線香、金属粒群、石粒群、または加熱されうる固体粒群であることを特徴とする鍼灸治療具である。
第二考案は、前記筒体には、上面開口を覆う金網蓋が設けられ、前記底部は、前記筒体の下端縁部よりも上に設けられ、前記鍼孔は、複数が形成されたことを特徴とする鍼灸治療具である。
【考案の効果】
【０００６】
第一、又は第二考案によれば、熱源材を筒体に入れ底部で保持し、この熱源材である艾、線香、金属粒群、石粒群、または加熱されうる固体粒群に接して、鍼が底部の鍼孔から患部に施術される。鍼は使用しないことも可能であり、よって鍼と灸の両方に使用できる。鍼が熱源材に接した状態とすることで、鍼自体を熱源で温めることができる。もちろん鍼なしの温灸治療にも使用できる。
【０００７】
第二考案によれば、さらに、上面開口を覆う金網蓋が設けられることから、施術中に患者の体が動いても、熱源材が筒体からこぼれるのを防止できる。また、底部は、筒体の下端縁部よりも上に設けられることから、熱源材に温められた底部が直接に患者の皮膚に触れることを防止できる。また、鍼孔は、複数が形成されることから、この鍼孔へ鍼の狙いを付けるのが容易になる。
【図面の簡単な説明】
【０００８】
【図１】この考案の一実施形態に係る鍼灸治療具を示すもので、（Ａ）は平面図、（Ｂ）は斜視図、（Ｃ）は使用状態を示す斜視図である。
【図２】（Ａ）（Ｂ）は、図１の他の使用状態を示す斜視図である。
【図３】この考案の他の実施形態に係る鍼灸治療具を示すもので、（Ａ）は斜視図、（Ｂ）は使用状態を示す斜視図である。
【考案を実施するための形態】
【０００９】
この考案の一実施形態を、図１に示す。
筒体１は、木製で、外形が数ｃｍの大きさで、水平断面が楕円で、楕円の短軸よりも、高さが小さく、重心は安定している。この筒体１の内部に熱源材３が保持される。この保持のために底部５が設けられる。この底部５は、ステンレス製で、筒体１の下端縁部７よりも数ミリ上に設けられる。この底部５の中央には、４つの鍼孔８が形成される。使用される熱源材３は、火のついた艾９である。
【００１０】
「実施形態の作用・効果」
この実施形態では、艾９として一般的な切り艾９を用いる。この切り艾９は、艾９を、薄い紙で長い筒状に丸め、一定の長さに切ったものである。筒体１の内部に容易に保持されるので、既済の安価な切り艾９が使用でき、治療コストを低減できる。
【００１１】
このように熱源材３である艾９を、筒体１の上面開口から中に入れ底部５で保持した後、この艾９を貫通して、鍼１０が底部５の鍼孔８から患部に刺され、施術される。鍼１０が熱源材３である艾９を貫通し、接することで、鍼１０自体を燃える艾９に接触させ、効率的に温めることができる。
【００１２】
そして、鍼１０に対して、熱源材３の保持される位置が低く、熱が患部に伝わりやすく、しかも筒体１の深い部分にあるので、安全性が高い。
また、底部５は、筒体１の下端縁部７よりも上に設けられることから、熱源材３に温められた、熱すぎる底部５が直接に患者の皮膚に触れることを防止でき、適切な温灸治療ができる。
また、鍼孔８は、底部５中央に４つが形成されることから、この鍼孔８へ鍼１０の狙いを付けるのが容易になる。すなわち、中央の鍼孔８への狙いが逸れても、隣接する他の鍼孔８へ通り、通った他の鍼孔８を使用して施術ができる。なお、中央の鍼孔８以外の他の３つの孔を、鍼孔として使用せず、空気孔としても構わない。
【００１３】
「他の実施形態」
以上の実施形態では、 使用される熱源材３は、火のついた艾９である。しかし、他の実施形態では、火のついた線香を使用することもできる。さらには、蝋燭などの火で加熱した金属粒群や石粒群も使用できる。この他、加熱されうるその他の固体粒群、例えばセラミック粒などを使用することができる。
【００１４】
例えば、図２（Ａ）に示すように、数ミリの直径のステンレス製の金属球１１を多数用意し金属球群とし、蝋燭などの火を用いて、アルミ箔の上で加熱し、筒体１に入れることができる。鍼１０が熱源材３である金属球群を貫通することで、鍼１０自体を金属球群に接触させ、効率的に温めることができる。
【００１５】
また、図２（Ｂ）に示すように、鍼１０は使用しないことも可能であり、よって、この鍼灸治療具は、鍼と灸の両方に使用できる。更には、熱源として艾を用いなければ、鍼灸の有資格者でなくとも使用することが可能である。熱源として艾以外のものを使用することで、鍼灸療法以外の温熱療法にも使用できる。
以上の実施形態では、筒体１の上面開口は開放されていたが、他の実施形態では、図３に示すように、上面開口を覆う金網蓋１３が、開閉可能に設けられるものとしてもよい。金網蓋１３のメッシュの大きさは鍼１０が支障なく通れる大きさである。このように、上面開口を覆う金網蓋１３が設けられることから、施術中に患者の体が動いても、熱源材３が筒体１からこぼれるのを防止できる。
【００１６】
以上の実施形態では、筒体１の水平断面が楕円形状であったが、他の実施形態では、他の形状、例えば、三角、四角、五角形以上の多角形、丸、等でもよい。
以上の実施形態では、先に艾９を入れ、その後で鍼１０を刺すものであったが、他の実施形態では、鍼１０は先に患部にさしておき、あとから筒体１を患部に載せる際に、鍼１０を頭から鍼孔８へ通し、熱源を入れても構わない。この場合には、鍼と側壁との間に切り艾９を縦に向けに入れる。
以上の実施形態では、筒体１は、木製としたが、他の実施形態では、木製と同等の性質を有する材質製、更には、金属製や陶器製などとすることもできる。
【符号の説明】
【００１７】
１…筒体、３…熱源材、５…底部、７…下端縁部、８・・鍼孔、９…艾、１０・・鍼、１１…金属球、１３…金網蓋。
【図１】
0003169142.tif 000003
【図２】
0003169142.tif 000004
【図３】
0003169142.tif 000005